(57)【特許請求の範囲】
【請求項１】
組立て及び組立て解除可能なケースと、
前記ケースの内部に配され、複数の伝導性領域と少なくとも１つの非伝導性領域とを有する変調感知パターン（ｔａｍｐｅｒ  ｄｅｔｅｃｔ  ｐａｔｔｅｒｎ）が設けられる印刷回路基板（ＰＣＢ）と、
前記ケースと前記印刷回路基板との間に配され、前記ケースの組立て時に、前記複数の伝導性領域のうち、一部を電気的に連結し、前記ケースの組立て解除時に、前記伝導性領域のうち、一部の電気的連結を解除する伝導性領域連結ユニットと、
前記伝導性領域に電気的に連結され、前記伝導性領域の互いに間の電気的連結状態を感知する伝導性領域連結感知回路と、を含み、
前記伝導性領域は、
第１伝導性領域と、
前記伝導性領域連結ユニットを通じて前記第１伝導性領域と連結され、前記第１伝導性領域を仮想の中心として前記第１伝導性領域の周り方向に沿って互いに離隔して配される複数の第２伝導性領域と、
前記第２伝導性領域の間に少なくとも一部が配される第３伝導性領域と、を含み、
前記第３伝導性領域は、
前記複数の第２伝導性領域の間に配される第１非接触部と、
前記第１非接触部と前記第１伝導性領域とに隣接して配され、前記非伝導性領域の間に配される第２非接触部と、
前記第１非接触部よりも前記第１伝導性領域からさらに離隔する位置に配される第３非接触部と、を含むことを特徴とするモバイル端末機。
【請求項２】
前記第１伝導性領域は、
前記変調感知パターンの中央領域に円状または多角状に設けられることを特徴とする請求項１に記載のモバイル端末機。
【請求項３】
前記複数の第２伝導性領域の各第２伝導性領域は、所定の曲率を有するアーク（ａｒｃ）状に設けられることを特徴とする請求項１に記載のモバイル端末機。
【請求項４】
前記複数の第２伝導性領域は、互いに等角度間隔で配されることを特徴とする請求項１に記載のモバイル端末機。
【請求項５】
前記第２非接触部は、
前記第１伝導性領域に行くほど幅が増加することを特徴とする請求項１に記載のモバイル端末機。
【請求項６】
前記非伝導性領域は、
前記第１伝導性領域と前記第２伝導性領域との間に配される第１非伝導性領域部と、
前記第１非伝導性領域部から延び、前記第２伝導性領域と前記第１非接触部との間に配される第２非伝導性領域部と、
前記第１非伝導性領域部から延び、前記第２非接触部と前記第１伝導性領域との間に配される第３非伝導性領域部と、
を含む請求項１に記載のモバイル端末機。
【請求項７】
前記伝導性領域連結ユニットは、
互いに離隔して配され、前記第２伝導性領域に連結される複数の接触レッグ（ｌｅｇ）と、
前記複数の接触レッグに連結され、前記第１伝導性領域に対して接近及び離隔する方向に移動可能な接触ヘッドと、
を含む請求項１に記載のモバイル端末機。
【請求項８】
前記接触レッグは、
前記第２伝導性領域に接触して支持される支持部と、
前記支持部で前記第２伝導性領域から離隔する方向に延び、前記接触ヘッドと連結される連結部と、
を含む請求項７に記載のモバイル端末機。
【請求項９】
前記連結部は、
前記接触ヘッドを前記第１伝導性領域から離隔する方向に付勢させることを特徴とする請求項８に記載のモバイル端末機。
【請求項１０】
前記接触ヘッドは、円形または多角形のプレート状に設けられることを特徴とする請求項７に記載のモバイル端末機。
【請求項１１】
前記接触ヘッドは、円形のプレート状に設けられ、
前記接触ヘッドは、
前記接触レッグと連結される第１プレート部と、
前記第１プレート部と連結され、下方に突出する形状を有する第２プレート部と、
前記第２プレート部と連結され、下方に突出する形状を有する第３プレート部と、
を含む請求項１０に記載のモバイル端末機。
【請求項１２】
前記第３プレート部は、所定の直径を有する円状に設けられ、
前記第１プレート部と前記第２プレート部は、前記第３プレート部と同じ中心点を有する環状に設けられることを特徴とする請求項１１に記載のモバイル端末機。
【請求項１３】
前記変調感知パターンは、円状を有し、
前記複数の第２伝導性領域は、前記第１伝導性領域を仮想の中心として対称に配される４つの伝導体からなることを特徴とする請求項１に記載のモバイル端末機。
【発明の詳細な説明】
【技術分野】
【０００１】
本発明は、モバイル端末機に係り、より詳細には、変調（ｔａｍｐｅｒ）行為を感知することができるモバイル端末機に関する。
【背景技術】
【０００２】
モバイル端末機（Ｍｏｂｉｌｅ  Ｔｅｒｍｉｎａｌ）は、場所に関係なく、移動しながら自在に使える端末機であって、クレジットカードなどに使われる決済端末機（ｐａｙｍｅｎｔ  ｔｅｒｍｉｎａｌ）、携帯電話のような移動通信端末機、そして、個人携帯端末機と呼ばれるＰＤＡ（Ｐｅｒｓｏｎａｌ  Ｄｉｇｉｔａｌ  Ａｓｓｉｓｔａｎｔ）などが代表的である。したがって、ここで使われる‘モバイル端末機’という用語は、これらをいずれも含む用語であるが、以下、説明の便宜上、決済端末機に限定して説明する。
【０００３】
決済端末機は、多様な重要データ（例えば、個人情報など）を保存または処理している。したがって、決済端末機には、このような重要データをハッキング（ｈａｃｋｉｎｇ）するハードウェア的またはソフトウェア的変調（ｔａｍｐｅｒｉｎｇ）行為を感知することができる変調感知器具の使用が必須である。
【０００４】
このような変調行為のうち、最も代表的なものが決済端末機を分解して重要データをハッキングすることである。すなわち、内部に印刷回路基板が配されたケースを組立て解除して、印刷回路基板に装着されたさまざまな回路部品から重要データをハッキングすることである。
【０００５】
したがって、従来技術による決済端末機は、このようなケースの組立て解除を認識するケース組立て解除認識部と、ケース組立て解除認識部と連結されて、ケースの組立て解除時に、重要データを削除するハッキング遮断部と、を含む。
【０００６】
このような組立て解除認識部は、スイッチング方式で構成されてケースの組立て及び組立て解除を認識する。すなわち、組立て解除認識部は、印刷回路基板に設けられ、２つの伝導性（ｃｏｎｄｕｃｔｉｖｅ）部材が互いに離隔して配される変調感知パターンと、印刷回路基板とケースとの間で移動可能に設けられ、移動によって２つの伝導性部材を電気的に連結する移動部材と、を含む。
【０００７】
このような組立て解除認識部は、ケースの組立て時に、移動部材が伝導性部材に接触することによって、ケースの組立てを認識し、ケースの組立て解除時に、移動部材が伝導性部材から接触解除されることによって、ケースの組立て解除を認識する。
【０００８】
ところで、変調行為がさらに高度化されて組立て解除認識部を撹乱する変調方法が表われている。
【０００９】
このような変調方法は、導電性液体を使うものであって、まず、ケースに小さな穴を開けた後、変調感知パターンに導電性液体を注入することである。
【００１０】
このように、変調感知パターンに導電性液体が投入されれば、互いに離隔した２つの伝導性部材が導電性液体によって電気的に連結されることによって、ケースの組立て解除によって移動部材が伝導性部材に接触解除されても、組立て解除認識部がケースの組立て解除を認識することができない。
【００１１】
したがって、変調感知パターンに導電性液体を注入する方式のように、組立て解除認識部を撹乱する変調行為に対応することができるモバイル端末機の開発が必要な実情である。
【発明の概要】
【発明が解決しようとする課題】
【００１２】
本発明が解決しようとする課題は、ケースの組立て解除が感知されないように意図された変調行為を無力化させることによって、重要なデータに対するハッキングを防止することができるモバイル端末機を提供するところにある。
【課題を解決するための手段】
【００１３】
本発明の一側面によれば、組立て及び組立て解除可能なケースと、前記ケースの内部に配され、複数の伝導性領域と少なくとも１つの非伝導性領域とを有する変調感知パターン（ｔａｍｐｅｒ  ｄｅｔｅｃｔ  ｐａｔｔｅｒｎ）が設けられる印刷回路基板（ＰＣＢ）と、前記ケースと前記印刷回路基板との間に配され、前記ケースの組立て時に、前記複数の伝導性領域のうち、一部を電気的に連結し、前記ケースの組立て解除時に、前記伝導性領域のうち、一部の電気的連結を解除する伝導性領域連結ユニットと、前記伝導性領域に電気的に連結され、前記伝導性領域の互いに間の電気的連結状態を感知する伝導性領域連結感知回路と、を含み、前記伝導性領域は、第１伝導性領域と、前記伝導性領域連結ユニットを通じて前記第１伝導性領域と連結され、互いに離隔して配される複数の第２伝導性領域と、前記第２伝導性領域の間に少なくとも一部が配される第３伝導性領域と、を含むモバイル端末機が提供されうる。
【００１４】
前記第１伝導性領域は、前記変調感知パターンの中央領域に円状または多角状に設けられうる。
【００１５】
前記複数の第２伝導性領域は、前記第１伝導性領域を仮想の中心として前記第１伝導性領域の周り方向に沿って互いに離隔して配置される。
【００１６】
第２伝導性領域は、所定の曲率を有するアーク（ａｒｃ）状に設けられうる。
【００１７】
前記複数の第２伝導性領域は、互いに等角度間隔で配置される。
【００１８】
前記第３伝導性領域は、前記第２伝導性領域の間に配される第１非接触部と、前記第１非接触部と前記第１伝導性領域とに隣接して配され、前記非伝導性領域の間に配される第２非接触部と、前記第１非接触部よりも前記第１伝導性領域からさらに離隔する位置に配される第３非接触部と、を含みうる。
【００１９】
前記第２非接触部は、前記第１伝導性領域に行くほど幅が増加する。
【００２０】
前記非伝導性領域は、前記第１伝導性領域と前記第２伝導性領域との間に配される第１非伝導性領域部と、前記第１非伝導性領域部から延び、前記第２伝導性領域と前記第１非接触部との間に配される第２非伝導性領域部と、前記第１非伝導性領域部から延び、前記第２非接触部と前記第１伝導性領域との間に配される第３非伝導性領域部と、を含みうる。
【００２１】
前記伝導性領域連結ユニットは、互いに離隔して配され、前記第２伝導性領域に連結される複数の接触レッグ（ｌｅｇ）と、前記複数の接触レッグに連結され、前記第１伝導性領域に対して接近及び離隔する方向に移動可能な接触ヘッドと、を含みうる。
【００２２】
前記接触レッグは、前記第２伝導性領域に接触して支持される支持部と、前記支持部で前記第２伝導性領域から離隔する方向に延び、前記接触ヘッドと連結される連結部と、を含みうる。
【００２３】
前記連結部は、前記接触ヘッドを前記第１伝導性領域から離隔する方向に付勢させることができる。
【００２４】
前記接触ヘッドは、円形または多角形のプレート状に設けられうる。
【００２５】
前記接触ヘッドは、円形のプレート状に設けられ、前記接触ヘッドは、前記接触レッグと連結される第１プレート部と、前記第１プレート部と連結され、下方に突出する形状を有する第２プレート部と、前記第２プレート部と連結され、下方に突出する形状を有する第３プレート部と、を含みうる。
【００２６】
前記第３プレート部は、所定の直径を有する円状に設けられ、前記第１プレート部と前記第２プレート部は、前記第３プレート部と同じ中心点を有する環状に設けられうる。
【００２７】
前記変調感知パターンは、円状を有し、前記複数の第２伝導性領域は、前記第１伝導性領域を仮想の中心として対称に配される４つの伝導体からなりうる。
【発明の効果】
【００２８】
本発明の実施形態は、変調感知パターンの第２伝導性領域が互いに離隔して配され、第３伝導性領域の一部が第２伝導性領域の間に配されることによって、第１伝導性領域と第２伝導性領域とを強制的に連結させるために投入される導電性流体によって、第３伝導性領域が、第２伝導性領域、または第１伝導性領域と連結されて、伝導性領域連結感知回路を通じて変調行為を感知することができる。
【図面の簡単な説明】
【００２９】
【図１】本発明の一実施形態によるモバイル端末機の内部配置構造が概略的に示された図面である。
【図２】図１の印刷回路基板の平面図である。
【図３】図１の変調感知パターンと伝導性領域連結ユニットとが示された分解斜視図である。
【図４】図１の変調感知パターンに伝導性領域連結ユニットが配された斜視図である。
【図５】図３の伝導性領域連結ユニットを下側から見た斜視図である。
【図６】図３の変調感知パターンの平面図である。
【図７】図１の伝導性領域連結ユニットがケースの組立てによって加圧された状態が示された動作状態図である。
【図８】図１の伝導性領域連結ユニットがケースの組立て解除によって加圧解除された状態が示された動作状態図である。
【図９】図１の変調感知パターンに導電性流体が投入された状態が示された図面である。
【発明を実施するための形態】
【００３０】
本発明と本発明の動作上の利点及び本発明の実施によって達成される目的を十分に理解するためには、本発明の望ましい実施形態を例示する添付図面及び添付図面に記載の内容を参照しなければならない。
【００３１】
以下、添付図面を参照して、本発明の望ましい実施形態を説明することによって、本発明を詳しく説明する。但し、本発明を説明するに当って、既に公知された機能あるいは構成についての説明は、本発明の要旨を明瞭にするために省略する。
【００３２】
以下で使われるモバイル端末機は、クレジットカードなどに使われる決済端末機、携帯電話のような移動通信端末機、そして、個人携帯端末機と呼ばれるＰＤＡを含む用語であるが、説明の便宜上、モバイル端末機と表示する。
【００３３】
図１は、本発明の一実施形態によるモバイル端末機の内部配置構造が概略的に示された図面であり、図２は、図１の印刷回路基板の平面図であり、図３は、図１の変調感知パターンと伝導性領域連結ユニットとが示された分解斜視図であり、図４は、図１の変調感知パターンに伝導性領域連結ユニットが配された斜視図であり、図５は、図３の伝導性領域連結ユニットを下側から見た斜視図であり、図６は、図３の変調感知パターンの平面図であり、図７は、図１の伝導性領域連結ユニットがケースの組立てによって加圧された状態が示された動作状態図であり、図８は、図１の伝導性領域連結ユニットがケースの組立て解除によって加圧解除された状態が示された動作状態図であり、図９は、図１の変調感知パターンに導電性流体が投入された状態が示された図面である。
【００３４】
図１ないし図９に示したように、本発明の実施形態によるモバイル端末機は、組立て及び組立て解除可能なケース１１０と、ケース１１０の内部に配され、複数の伝導性（ｃｏｎｄｕｃｔｉｖｅ）領域１２０と少なくとも１つの非伝導性領域Ｎとを有する変調感知パターン１３０が設けられる印刷回路基板（ＰＣＢ）１４０と、ケース１１０と印刷回路基板１４０との間に配され、ケース１１０の組立て時に、複数の伝導性領域１２０のうち、一部を電気的に連結し、ケース１１０の組立て解除時に、伝導性領域１２０のうち、一部の電気的連結を解除する伝導性領域連結ユニット１５０と、伝導性領域１２０に電気的に連結され、伝導性領域１２０の互いに間の電気的連結状態を感知する伝導性領域連結感知回路１６０と、を含む。
【００３５】
ケース１１０は、組立て時に、印刷回路基板１４０を取り囲んで印刷回路基板１４０を保護する。本実施形態で、ケース１１０は、上部ケース１１１と下部ケース１１２とを含む。
【００３６】
印刷回路基板１４０には、変調感知パターン１３０が設けられる。本実施形態で、変調感知パターン１３０は、円状を有するが、本発明の権利範囲が、これに限定されず、多角状からなることもある。
【００３７】
また、変調感知パターン１３０は、変調行為をさらに正確に感知するために、多数個設けられる。本実施形態では、説明の便宜上、印刷回路基板１４０に変調感知パターン１３０が６つ設けられたもので説明する。
【００３８】
このような変調感知パターン１３０は、複数の伝導性領域１２０と少なくとも１つの非伝導性領域Ｎとを有する。
【００３９】
本実施形態で、伝導性領域１２０は、電気を通電させる伝導体からなる。このような伝導性領域１２０は、第１伝導性領域１２１と、伝導性領域連結ユニット１５０を通じて第１伝導性領域１２１と連結され、互いに離隔して配される複数の第２伝導性領域１２２、１２３、１２４、１２５と、第２伝導性領域１２２、１２３、１２４、１２５の間に少なくとも一部が配される第３伝導性領域１２６と、を含む。
【００４０】
そして、第１伝導性領域１２１、第２伝導性領域１２２、１２３、１２４、１２５及び第３伝導性領域１２６は、非伝導性領域Ｎによって分離されている。
【００４１】
このような伝導性領域１２０と非伝導性領域Ｎとに対する詳しい内容は、説明の便宜上、後述する。
【００４２】
一方、伝導性領域連結ユニット１５０は、ケース１１０と印刷回路基板１４０との間に配され、ケース１１０の組立て時には、第１伝導性領域１２１と第２伝導性領域１２２、１２３、１２４、１２５とを電気的に連結し、ケース１１０の組立て解除時には、第１伝導性領域１２１と第２伝導性領域１２２、１２３、１２４、１２５との電気的連結を解除する。
【００４３】
このような伝導性領域連結ユニット１５０は、互いに離隔して配され、第２伝導性領域１２２、１２３、１２４、１２５に連結される複数の接触レッグ１５１と、複数の接触レッグ１５１に連結され、第１伝導性領域１２１に対して接近及び離隔する方向に移動可能な接触ヘッド１５６と、を含む。
【００４４】
接触レッグ１５１は、第２伝導性領域１２２、１２３、１２４、１２５に半田付け（ｓｏｌｄｅｒｉｎｇ）などを通じて連結される。このような接触レッグ１５１は、第２伝導性領域１２２、１２３、１２４、１２５に接触して支持される支持部１５２と、支持部１５２で第２伝導性領域１２２、１２３、１２４、１２５から離隔する方向に延び、接触ヘッド１５６と連結される連結部１５３と、を含む。
【００４５】
連結部１５３は、接触ヘッド１５６を第１伝導性領域１２１から離隔する方向に付勢させる。すなわち、連結部１５３は、ケース１１０の組立て解除時に、弾性復元力を通じて接触ヘッド１５６を第１伝導性領域１２１から離隔させる。
【００４６】
結局、接触ヘッド１５６は、ケース１１０の組立て時には、加圧されて連結部１５３の弾性復元力を勝って第１伝導性領域１２１に接触し、ケース１１０の組立て解除時には、連結部１５３の弾性復元力によって第１伝導性領域１２１から接触解除される。
【００４７】
このような接触ヘッド１５６は、円形または多角形のプレート状に設けられうる。
【００４８】
本実施形態で、接触ヘッド１５６は、円形のプレート状に設けられる。このような接触ヘッド１５６は、接触レッグ１５１と連結される第１プレート部１５７と、第１プレート部１５７と連結され、下方に突出する形状を有する第２プレート部１５８と、第２プレート部１５８と連結され、下方に突出する形状を有する第３プレート部１５９と、を含む。
【００４９】
第３プレート部１５９は、所定の直径を有する円状に設けられる。また、第１プレート部１５７と第２プレート部１５８は、第３プレート部１５９と同じ中心点を有する環状に設けられる。
【００５０】
一方、本実施形態によるモバイル端末機は、接触ヘッド１５６を第１伝導性領域１２１の方向に加圧する加圧部材１７０をさらに含む。このような加圧部材１７０は、上部ケース１１１自体に設けられることもあり、別途に設けられて上部ケース１１１と伝導性領域連結ユニット１５０との間に配置されることもある。
【００５１】
このように、本実施形態によるモバイル端末機は、第２プレート部１５８と第３プレート部１５９とが下方（第１伝導性領域１２１の方向）に突出することによって、ケース１１０の組立て時に、過度な加圧力が不要であり、第３プレート部１５９と第１伝導性領域１２１との接触が容易である。
【００５２】
一方、第１伝導性領域１２１は、変調感知パターン１３０の中央領域に円状または多角状に設けられる。本実施形態では、説明の便宜上、第１伝導性領域１２１が円状に設けられたもので説明する。
【００５３】
複数の第２伝導性領域１２２、１２３、１２４、１２５は、伝導性領域連結ユニット１５０を通じて第１伝導性領域１２１と連結される。このような複数の第２伝導性領域１２２、１２３、１２４、１２５は、第１伝導性領域１２１を仮想の中心として第１伝導性領域１２１の周り方向に沿って互いに離隔して配される。
【００５４】
複数の第２伝導性領域１２２、１２３、１２４、１２５は、所定の曲率を有するアーク状に設けられる。また、複数の第２伝導性領域１２２、１２３、１２４、１２５は、本実施形態では、互いに等角度間隔で配される。また、複数の第２伝導性領域１２２、１２３、１２４、１２５は、本実施形態では、第１伝導性領域１２１を仮想の中心として対称に配される。
【００５５】
本実施形態で、複数の第２伝導性領域１２２、１２３、１２４、１２５は、図１ないし図９に示したように、４つで構成される。このように、本実施形態によるモバイル端末機には、互いに離隔する多数個の第２伝導性領域１２２、１２３、１２４、１２５が設けられることによって、第２伝導性領域１２２、１２３、１２４、１２５と第１伝導性領域１２１とを強制的に電気的連結する変調行為をさらに難しくする。
【００５６】
すなわち、多数個の第２伝導性領域１２２、１２３、１２４、１２５のうち、１つの第２伝導性領域１２２を強制的に第１伝導性領域１２１と連結した後に、ケース１１０を組立て解除する場合でも、ケース１１０の組立て解除によって、他の第２伝導性領域１２３、１２４、１２５は、第１伝導性領域１２１と電気的に連結されないために、伝導性領域連結感知回路１６０が、ケース１１０の組立て解除を感知することができる。
【００５７】
一方、第３伝導性領域１２６は、少なくとも一部が第２伝導性領域１２２、１２３、１２４、１２５の間に配される。このような第３伝導性領域１２６は、図６に詳しく示したように、第２伝導性領域１２２、１２３、１２４、１２５の間に配される第１非接触部１２７と、第１非接触部１２７と第１伝導性領域１２１とに隣接して配され、非伝導性領域Ｎの間に配される第２非接触部１２８と、第１非接触部１２７よりも第１伝導性領域１２１からさらに離隔する位置に配される第３非接触部１２９と、を含む。
【００５８】
第１非接触部１２７は、第２伝導性領域１２２、１２３、１２４、１２５の間に配される。このように、第１非接触部１２７が、第２伝導性領域１２２、１２３、１２４、１２５の間に配されることによって、変調感知パターン１３０に導電性流体Ｙが投入される場合、第１非接触部１２７が、第２伝導性領域１２２、１２３、１２４、１２５と電気的に連結される。このような第３伝導性領域１２６の第１非接触部１２７と第２伝導性領域１２２、１２３、１２４、１２５との電気的連結は、伝導性領域連結感知回路１６０によって感知され、それにより、データ削除などの方法によって重要データのハッキングを防止することができる。
【００５９】
第２非接触部１２８は、第１非接触部１２７と第１伝導性領域１２１とに隣接して配され、非伝導性領域Ｎの間に配される。
【００６０】
このように、第２非接触部１２８は、第１伝導性領域１２１に隣接して配されることによって、変調感知パターン１３０に導電性流体Ｙが投入される場合、第２非接触部１２８が、第１伝導性領域１２１と電気的に連結される。このような第２非接触部１２８と第１伝導性領域１２１との電気的連結は、伝導性領域連結感知回路１６０によって感知され、それにより、データ削除などの方法によって重要データのハッキングを防止することができる。
【００６１】
また、第２非接触部１２８は、第１伝導性領域１２１に行くほど幅が増加する。すなわち、第２非接触部１２８、第１伝導性領域１２１に行くほど面積が広くなることによって、変調行為によって投入される導電性流体Ｙと接触する可能性が多くなって、変調行為の感知可能性をさらに高める。
【００６２】
第３非接触部１２９は、第１非接触部１２７よりも第１伝導性領域１２１からさらに離隔する位置に配される。結局、第３非接触部１２９は、図６に詳しく示したように、第２伝導性領域１２２、１２３、１２４、１２５に隣接して配されることによって、変調感知パターン１３０に導電性流体Ｙが投入される場合、第３非接触部１２９が、第２伝導性領域１２２、１２３、１２４、１２５と電気的に連結される。このような第３非接触部１２９と第２伝導性領域１２２、１２３、１２４、１２５との電気的連結は、伝導性領域連結感知回路１６０によって感知され、それにより、データ削除などの方法によって重要データのハッキングを防止することができる。
【００６３】
一方、非伝導性領域Ｎは、第１伝導性領域１２１と第２伝導性領域１２２、１２３、１２４、１２５との間に配される第１非伝導性領域部Ｎ１と、第１非伝導性領域部Ｎ１から延び、第２伝導性領域１２２、１２３、１２４、１２５と第１非接触部１２７との間に配される第２非伝導性領域部Ｎ２と、第１非伝導性領域部Ｎ１から延び、第２非接触部１２８と第１伝導性領域１２１との間に配される第３非伝導性領域部Ｎ３と、を含む。
【００６４】
以下、このような構成を有するモバイル端末機の動作を図１ないし図９を参照して説明する。
【００６５】
まず、ケース１１０の組立て時には、図７に示したように、伝導性領域連結ユニット１５０が、ケース１１０の組立てによって加圧され、それにより、第３プレート部１５９が、第１伝導性領域１２１に接触される。このような第３プレート部１５９と第１伝導性領域１２１との電気的連結は、伝導性領域連結感知回路１６０によって感知される。
【００６６】
次に、ケース１１０の組立て解除時には、図８に示したように、伝導性領域連結ユニット１５０が、ケース１１０の組立て解除によって加圧解除され、それにより、第３プレート部１５９が、第１伝導性領域１２１から接触解除される。
【００６７】
このような第３プレート部１５９と第１伝導性領域１２１との電気的連結解除は、伝導性領域連結感知回路１６０によって感知されることによって、ケース１１０の組立て解除を伴う変調行為を感知することができる。
【００６８】
次に、図９に示したように、ハッキングのために変調感知パターン１３０に導電性流体Ｙが投入された場合には、第３伝導性領域１２６が、第２伝導性領域１２２、１２３、１２４、１２５、または第１伝導性領域１２１と電気的に連結される。このような第３伝導性領域１２６と第２伝導性領域１２２、１２３、１２４、１２５との電気的連結、または第３伝導性領域１２６と第１伝導性領域１２１との電気的連結は、伝導性領域連結感知回路１６０によって感知される。
【００６９】
結局、伝導性領域連結感知回路１６０は、第１伝導性領域１２１と第２伝導性領域１２２、１２３、１２４、１２５とを導電性流体Ｙを通じて強制的に連結した後、ケース１１０の組立て解除を伴う変調行為を感知することができる。
【００７０】
このように、本実施形態によるモバイル端末機は、変調感知パターン１３０の第２伝導性領域１２２、１２３、１２４、１２５が互いに離隔して配され、第３伝導性領域１２６の一部が、第２伝導性領域１２２、１２３、１２４、１２５の間に配されることによって、第１伝導性領域１２１と第２伝導性領域１２２、１２３、１２４、１２５とを強制的に連結させるために投入される導電性流体Ｙによって、第３伝導性領域１２６が、第２伝導性領域１２２、１２３、１２４、１２５、または第１伝導性領域１２１と連結されて、伝導性領域連結感知回路１６０を通じて変調行為を感知することができる。
【００７１】
以上、図面を参照して、本実施形態について詳しく説明したが、本実施形態の権利範囲が、前述した図面及び説明に限定されるものではない。
【００７２】
このように、本発明は、記載の実施形態に限定されるものではなく、本発明の思想及び範囲から外れずに多様に修正及び変形できるということは、当業者に自明である。したがって、そのような修正例または変形例は、本発明の特許請求の範囲に属するものと言わなければならない。
【産業上の利用可能性】
【００７３】
本発明は、クレジットカードなどに使われる決済端末機、携帯電話のような移動通信端末機、そして、個人携帯端末機と呼ばれるＰＤＡのような端末機産業に利用されうる。
【図１】
0005778348.tif 000002
【図２】
0005778348.tif 000003
【図３】
0005778348.tif 000004
【図４】
0005778348.tif 000005
【図５】
0005778348.tif 000006
【図６】
0005778348.tif 000007
【図７】
0005778348.tif 000008
【図８】
0005778348.tif 000009
【図９】
0005778348.tif 000010